(57)【要約】【課題】使用者がミラーとしても使用でき、両面に所望の映像を表示するとともに、部屋に設置しても使用者が圧迫感を感じないミラーシステムを提供する。【解決手段】ミラーシステムは、映像を投影するプロジェクタ２１と、自らが回転することによりプロジェクタ２１から投影された映像を第１の空間ＡＳ又は第２の空間ＢＳに向けて反射させるミラー２２と、ミラー２２により反射された映像を第１の空間ＡＳに向けて透過させる第１のハーフミラー２３と、ミラー２２により反射された映像を第２の空間ＢＳに向けて透過させる第２のハーフミラー２４とを備える。【選択図】図１
2009156989.tif 000002
【特許請求の範囲】
【請求項１】
映像を投影するプロジェクタと、
自らが回転することにより前記プロジェクタから投影された映像を第１の空間又は第２の空間に向けて反射させるミラーと、
前記ミラーにより反射された映像を第１の空間に向けて透過させる第１のハーフミラーと、
前記ミラーにより反射された映像を第２の空間に向けて透過させる第２のハーフミラーと
を備えることを特徴とするミラーシステム。
【請求項２】
前記第１のハーフミラーは第１の空間に臨み、
前記第２のハーフミラーは、前記第１のハーフミラーに対向して第２の空間に臨み、
前記ミラーは、前記第１のハーフミラーと前記第２のハーフミラーの間の第３の空間に設けられている
ことを特徴とする請求項１記載のミラーシステム。
【請求項３】
前記プロジェクタは、第３の空間において前記第１のハーフミラーと前記第２のハーフミラー間の略中央に配置され、前記第１のハーフミラーの表面及び前記第２のハーフミラーの表面に略平行な方向に映像を投影することを特徴とする請求項２記載のミラーシステム。
【請求項４】
前記プロジェクタは、映像を１８０度回転させる映像回転手段を備えることを特徴とする請求項１〜３いずれか一項に記載のミラーシステム。
【請求項５】
映像を投影するプロジェクタと、
前記プロジェクタから投影された映像を第１の空間に向けて反射させると同時に第２の空間に向けて透過させる光分配ハーフミラーと、
前記光分配ハーフミラーにより反射された映像を第１の空間に向けて透過させる第１のハーフミラーと、
前記光分配ハーフミラーを透過した映像を第２の空間に向けて透過させる第２のハーフミラーと
を備えることを特徴とするミラーシステム。
【請求項６】
映像を投影する第１のプロジェクタと、
前記第１のプロジェクタから投影された映像を第１の空間に向けて反射させる第１のミラーと、
前記第１のミラーにより反射された映像を第１の空間に向けて透過させる第１のハーフミラーと、
映像を投影する第２のプロジェクタと、
前記第２のプロジェクタから投影された映像を第２の空間に向けて反射させる第２のミラーと、
前記第２のミラーにより反射された映像を第２の空間に向けて透過させる第２のハーフミラーとを備え、
前記第２のハーフミラーは、前記第１のハーフミラーに対向して設けられ、
前記第１及び第２のミラーは、前記第１のハーフミラーと前記第２のハーフミラーの間の第３の空間に設けられている
ことを特徴とするミラーシステム。
【発明の詳細な説明】
【技術分野】
【０００１】
本発明は、映像を投影するプロジェクタとこの映像を透過させるハーフミラーとを備えるミラーシステムに関する。
【背景技術】
【０００２】
従来から、プロジェクタとスクリーンとを用いた映像表示装置が種々提案されている（例えば、特許文献１参照）。
【０００３】
上記特許文献１には、使用者の部屋と隣の部屋とを仕切る壁において、使用者の部屋側の壁面をリアプロジェクション用スクリーンで構成し、プロジェクタとプロジェクタからの投影光を反射して上記リアプロジェクション用スクリーンに入射させるための反射鏡とを壁の内部に配置した映像表示システムが記載されている。
【０００４】
特許文献１に記載の映像表示システムにおいては、使用者の部屋と隣の部屋とを仕切る壁の内部にプロジェクタと反射鏡とを配置しているので、使用者の部屋の床面積を実質的に狭くせずに、また、使用者の部屋が配線等により乱雑となることなく、プロジェクタによるスクリーンへの映像表示が可能になる。
【０００５】
また、プロジェクタからの投影光を、反射鏡を介して、スクリーンに入射させることにより、プロジェクタからの投影光の光路が反射鏡によって折りたたまれるので、壁厚を小さくすることができる。
【特許文献１】特開２００５−３２６６５８号公報
【発明の開示】
【発明が解決しようとする課題】
【０００６】
ところで、一つの部屋に、例えば、ベッドと洗面台など、用途が異なる複数の領域がある場合、一つの部屋であっても、これらの領域を仕切るとともに、仕切りにおけるそれぞれの領域側の面にそれぞれの用途に合った映像を表示させたいというニーズがある。
【０００７】
しかし、当該仕切りに上記特許文献１に記載の映像表示システムを適用すると、仕切りの一方の面にしか映像を表示することができないので、上記ニーズを満たすことができない。
【０００８】
また、仕切りの面をリアプロジェクション用スクリーンとすると、仕切りを部屋に設置することにより、使用者は部屋が狭くなったような圧迫感を感じてしまうという問題がある。
【０００９】
本発明は、上記問題に鑑みてなしたものであり、使用者がミラーとしても使用でき、両面に所望の映像を表示するとともに、部屋に設置しても使用者が圧迫感を感じないミラーシステムを提供することを目的とする。
【課題を解決するための手段】
【００１０】
本発明の第１の特徴は、映像を投影するプロジェクタと、自らが回転することによりプロジェクタから投影された映像を第１の空間又は第２の空間に向けて反射させるミラーと、ミラーにより反射された映像を第１の空間に向けて透過させる第１のハーフミラーと、ミラーにより反射された映像を第２の空間に向けて透過させる第２のハーフミラーとを備えるミラーシステムであることを要旨とする。
【００１１】
本発明の第１の特徴によれば、ミラーは自らが回転することによりプロジェクタから投影された映像を第１の空間又は第２の空間に向けて反射させ、第１のハーフミラーはミラーにより反射された映像を第１の空間に向けて透過させ、第２のハーフミラーはミラーにより反射された映像を第２の空間に向けて透過させる。これによって、ミラーシステムは、一つの部屋であっても、これらの領域を仕切るとともに、仕切りにおけるそれぞれの領域側の面にそれぞれの用途に合った映像を表示させることができる。また、仕切りの面をハーフミラーとすることによって、使用者はミラーとしても使用することができるので、ミラーシステムを部屋に設置しても部屋が狭くなったような圧迫感を使用者が感じることが少ない。
【００１２】
本発明の第１の特徴において、第１のハーフミラーは第１の空間に臨み、第２のハーフミラーは、第１のハーフミラーに対向して第２の空間に臨み、ミラーは、第１のハーフミラーと第２のハーフミラーの間の第３の空間に設けられていることが好ましい。これにより、対向する部屋のそれぞれに所望の映像を表示することができる。また、第１のハーフミラーと第２のハーフミラーにより閉じられた第３の空間にミラーを設けることにより、ミラーの反射率が良くなる。更に、ミラーを配置する空間として第３の空間を利用することにより、空間を有効に活用することができる。
【００１３】
本発明の第１の特徴において、プロジェクタは、第３の空間において第１のハーフミラーと第２のハーフミラー間の略中央に配置され、第１のハーフミラーの表面及び第２のハーフミラーの表面に略平行な方向に映像を投影することが好ましい。第３の空間にプロジェクタを設けることにより、プロジェクタを設置する為の床面積が不要となり、プロジェクタを接続する配線によって床が乱雑になることも無くなる。また、第３の空間にプロジェクタ及びミラーを設けることにより、プロジェクタから投影された映像光はミラーにより折り返されて第１及び第２のハーフミラーを透過するので、第１のハーフミラーと第２のハーフミラーの距離を短くすることができる。
【００１４】
本発明の第１の特徴において、プロジェクタは、映像を１８０度回転させる映像回転手段を備えていることが好ましい。これにより、第１のハーフミラーを透過する映像と第２のハーフミラーを透過する映像を同じ向きに表示することができる。
【００１５】
本発明の第２の特徴は、映像を投影するプロジェクタと、プロジェクタから投影された映像を第１の空間に向けて反射させると同時に第２の空間に向けて透過させる光分配ハーフミラーと、光分配ハーフミラーにより反射された映像を第１の空間に向けて透過させる第１のハーフミラーと、光分配ハーフミラーを透過した映像を第２の空間に向けて透過させる第２のハーフミラーとを備えるミラーシステムであることを要旨とする。
【００１６】
本発明の第２の特徴によれば、光分配ハーフミラーがプロジェクタから投影された映像を第１の空間に向けて反射させると同時に第２の空間に向けて透過させることにより、プロジェクタから投影される映像を第１のハーフミラー及び第２のハーフミラーに同時に表示することができる。
【００１７】
本発明の第３の特徴は、映像を投影する第１のプロジェクタと、第１のプロジェクタから投影された映像を第１の空間に向けて反射させる第１のミラーと、第１のミラーにより反射された映像を第１の空間に向けて透過させる第１のハーフミラーと、映像を投影する第２のプロジェクタと、第２のプロジェクタから投影された映像を第２の空間に向けて反射させる第２のミラーと、第２のミラーにより反射された映像を第２の空間に向けて透過させる第２のハーフミラーとを備えるミラーシステムであって、第２のハーフミラーは、第１のハーフミラーに対向して設けられ、第１及び第２のミラーは、第１のハーフミラーと第２のハーフミラーの間の第３の空間に設けられていることである。
【００１８】
本発明の第３の特徴によれば、第１のプロジェクタから投影される映像を第１のハーフミラーに表示すると同時に、第２のプロジェクタから投影される映像を第２のハーフミラーに表示することができる。よって、一つの部屋に、例えば、ベッドと洗面台など、用途が異なる複数の領域がある場合、一つの部屋であっても、これらの領域を仕切るとともに、仕切りにおけるそれぞれの領域側の面にそれぞれの用途に合った映像を同時に表示することができる。
【発明の効果】
【００１９】
本発明によれば、使用者がミラーとしても使用でき、両面に所望の映像を表示するとともに、部屋に設置しても使用者が圧迫感を感じないミラーシステムを提供することができる。
【発明を実施するための最良の形態】
【００２０】
以下図面を参照して、本発明の実施の形態を説明する。図面の記載において同一部分には同一符号を付している。
（第１の実施の形態）
図２を参照して、本発明の第１の実施の形態に係わるミラーシステムの外観構成を説明する。ミラーシステム１は、一つの部屋に、例えば、ベッドと洗面台など、用途が異なる複数の領域を形成する際の「仕切り」として使用される。ミラーシステム１は、筐体３３の一方の側面に設けられた第１のハーフミラー２３と、第１のハーフミラー２３の下端から突出した甲板３１とを備える。なお、図２には表さないが、筐体３３の一方の側面に対向する他方の側面には、第２のハーフミラーが設けられている。
【００２１】
図１（ａ）及び図１（ｂ）を参照して、本発明の実施の形態に係わるミラーシステムの構成を説明する。図１（ａ）は、ミラー２２が第１の空間ＡＳに向けてプロジェクタ２１から投影された映像を反射している状態を示し、図１（ｂ）は、ミラー２２が第２の空間ＢＳに向けてプロジェクタ２１から投影された映像を反射している状態を示す。
【００２２】
ミラーシステム１は、映像を投影するプロジェクタ２１と、自らが回転することによりプロジェクタ２１から投影された映像を第１の空間ＡＳ又は第２の空間ＢＳに向けて反射させるミラー２２と、ミラー２２により反射された映像を第１の空間ＡＳに向けて透過させる第１のハーフミラー２３と、ミラー２２により反射された映像を第２の空間ＢＳに向けて透過させる第２のハーフミラー２４とを備える。
【００２３】
プロジェクタ２１は所定の映像を構成する光線を投射する。ミラー２２はプロジェクタ２１から投射された光線を第１の空間ＡＳ又は第２の空間ＢＳに向けて反射させる。図１（ａ）の状態において、ミラー２２はプロジェクタ２１から投射された光線を第１の空間ＡＳに向けて反射し、図１（ｂ）の状態において、ミラー２２はプロジェクタ２１から投射された光線を第２の空間ＢＳに向けて反射する。第１の空間ＡＳは、甲板３１が設置されている側の空間である。
【００２４】
反射方向の切り替えはミラー２２が自ら回転することにより行われる。ミラー２２の回転の仕方は、ミラー２２の反射面ＲＳが片面のみか或いは両面かにより異なる。ミラー２２の反射面ＲＳが片面のみの場合、図１（ａ）の状態から図１（ｂ）の状態まで逆時計回り方向に回転すればよい。ミラー２２の反射面ＲＳが両面である場合、図１（ａ）の状態から図１（ｂ）の状態まで、時計回り方向又は逆時計回り方向に回転すればよい。
【００２５】
第１のハーフミラー２３は、第１の空間ＡＳに臨み、図１（ａ）の状態においてミラー２２により反射された光線を第１の空間ＡＳに向けて透過させる。例えば、第１のハーフミラー２３のミラー２２側の表面に、入射する光線を拡散する拡散層を形成することにより、光線は第１のハーフミラー２３を透過する際に拡散される。よって、第１のハーフミラー２３には、プロジェクタ２１が投射する光線により構成される所定の映像が表示される。
【００２６】
第２のハーフミラー２４は、第１のハーフミラー２３に対向して設けられ、且つ第２の空間ＢＳに臨んでいる。また、第２のハーフミラー２４は、図１（ｂ）の状態においてミラー２２により反射された光線を第２の空間ＢＳに向けて透過させる。更に、第２のハーフミラー２４は、第１のハーフミラー２３と同様な上記構成を備え、プロジェクタ２１が投射する光線により構成される所定の映像を表示する。
【００２７】
ミラー２２及びプロジェクタ２１は、第１のハーフミラー２３と第２のハーフミラー２４の間の第３の空間ＣＳに設けられている。すなわち、第１のハーフミラー２３と第２のハーフミラー２４は、筐体３３の両側面に設けられ、ミラー２２及びプロジェクタ２１は筐体３３の内部に設けられている。
【００２８】
プロジェクタ２１は、第３の空間ＣＳにおいて第１のハーフミラー２３と第２のハーフミラー２４間の略中央に配置され、第１のハーフミラー２３の表面及び第２のハーフミラー２４の表面に略平行な方向に映像を投影する。
【００２９】
なお、プロジェクタ２１は、床面側から天井側（上方）に向けて映像を投影し、この映像を反射するミラー２２の反射面は斜め下方を向いているが、これ以外にも、プロジェクタ２１は、下方、左方又は右方に向けて映像を投影し、ミラー２２の反射面は斜め上方、右方又は左方を向いていてもよい。
【００３０】
また、ミラー２２の回転は、ミラー回転装置を用いて行ってもよいし、ミラー２２に対して固定されたレバーを筐体３３の両側面から突出させて、使用者によるレバー操作によって行っても構わない。図３では、ミラー回転装置を用いた場合について説明する。
【００３１】
図３を参照して、プロジェクタ２１及びミラー２２の制御系に係わるミラーシステム１の構成を説明する。ミラーシステム１は、ミラーを回転させるミラー回転装置２５と、プロジェクタ２１及びミラー回転装置２５を制御する制御部１１及びプロジェクタ２１が投影する映像のデータを格納するメモリ１２を備えるコンピュータ１０とを更に備える。
【００３２】
制御部１１は、コンピュータ１０のＣＰＵなどの演算処理機能を備えるマイクロプロセッサの一部を構成し、所定の制御プログラムに従って動作する。制御部１１は、リモコンや音声認識装置などのユーザインターフェースから有線又は無線によりユーザが発信する操作信号を受信する。プロジェクタ制御部１３は、当該操作信号に基づいて、プロジェクタ２１の動作を制御する為の制御信号をプロジェクタ２１へ送信する。ミラー制御部１４は、当該操作信号に基づいて、ミラー回転装置２５の動作を制御する為の制御信号をミラー回転装置２５へ送信する。
【００３３】
プロジェクタ２１は、制御部１１から制御信号及びメモリ１２に記憶されている映像のデータ信号を受信して所定の映像を投影する映像投影部２１ａと、制御部１１からの制御信号に従って映像を１８０度回転させる映像回転部２１ｂ（映像回転手段）とを備える。図１（ａ）の状態で第１のハーフミラー２３に投影される映像は、ミラー２２を回転させて図１（ｂ）の状態にすることにより１８０度回転してしまう。そこで、映像回転部２１ｂは、ミラー２２の回転に併せて、投影する映像を１８０度回転させる。これにより、第１のハーフミラー２３を透過する映像と第２のハーフミラー２４を透過する映像を同じ向きに表示させることができる。
【００３４】
ミラー回転装置２５は、制御部１１からの制御信号に従って、ミラー２２を図１（ａ）の状態と図１（ｂ）の状態との間で回転させる。
【００３５】
図４を参照して、図１〜図３に示したミラーシステム１の設置例を説明する。図４には、ベッド４２ａ、４２ｂを設置して寝室ＭＳとして利用していた部屋４１の一部に椅子４４等を置いた洗面コーナーＮＳを設ける際の簡易な「間仕切り」としてミラーシステム１を設置した例を示す。図１における第１の空間ＡＳを洗面コーナーＮＳとし、第２の空間ＢＳを寝室ＭＳとすれば、洗面コーナーＮＳにおいて甲板３１を利用することができる。ここでは、寝室ＭＳと洗面コーナーＮＳの場合を示したが、これに限らず、寝室と書斎或いは勉強室等とを仕切ってもよい。
【００３６】
以上説明したように、本発明の第１の実施の形態によれば、以下の作用効果が得られる。
【００３７】
ミラー２２が回転することによりプロジェクタ２１から投影された映像を第１の空間ＡＳ又は第２の空間ＢＳに向けて反射させ、第１のハーフミラー２３はミラー２２により反射された映像を第１の空間ＡＳに向けて透過させ、第２のハーフミラー２４はミラー２２により反射された映像を第２の空間ＢＳに向けて透過させる。これによって、ミラーシステム１は、一つの部屋であっても、これらの領域を仕切るとともに、仕切りにおけるそれぞれの領域（寝室ＭＳ及び洗面コーナーＮＳ）側の面にそれぞれの用途に合った映像を表示させることができる。また、仕切りの面をハーフミラー２３、２４とすることによって、使用者は鏡としても使用することができるので、ミラーシステム１を部屋に設置しても部屋が狭くなったような圧迫感を使用者が感じることが少ない。よって、映像を表示していないときに部屋を広く見せることができる。
【００３８】
ミラー２２を第１のハーフミラー２３と第２のハーフミラー２４の間の第３の空間ＣＳに設けることにより、対向する部屋のそれぞれに所望の映像を表示することができる。また、第１のハーフミラー２３と第２のハーフミラー２４により閉じられた第３の空間ＣＳにミラー２２を設けることにより、ミラー２２の反射率が良くなる。更に、ミラー２２を配置する空間として第３の空間ＣＳを利用することにより、空間を有効に活用することができる。
【００３９】
第３の空間ＣＳにプロジェクタ２１を設けることにより、プロジェクタ２１を設置する為の床面積が不要となり、プロジェクタ２１を接続する配線によって床が乱雑になることも無くなる。第３の空間ＣＳにプロジェクタ２１及びミラー２２を設けることにより、プロジェクタ２１から投影された映像光はミラー２２により折り返されて第１及び第２のハーフミラー２３、２４を透過するので、第１のハーフミラー２３と第２のハーフミラー２４の距離を短くすることができる。
【００４０】
プロジェクタ２１は、映像を１８０度回転させる映像回転部２１ｂを備えることにより、第１のハーフミラー２３を透過する映像と第２のハーフミラー２４を透過する映像を同じ向きに表示することができる。
（第２の実施の形態）
第２の実施の形態では、プロジェクタから投影された映像を第１の空間ＡＳに向けて反射させると同時に第２の空間ＢＳに向けて透過させる光分配ハーフミラーを設けたミラーシステムについて説明する。
【００４１】
図５を参照して、本発明の第２の実施の形態に係わるミラーシステムの構成を説明する。本発明の第２の実施の形態に係わるミラーシステムは、映像を投影するプロジェクタ２７と、プロジェクタ２７から投影された映像を第１の空間ＡＳに向けて反射させると同時に第２の空間ＢＳに向けて透過させる光分配ハーフミラー２６と、光分配ハーフミラー２６により反射された映像を第１の空間ＡＳに向けて透過させる第１のハーフミラー２３と、光分配ハーフミラー２６を透過した映像を第２の空間ＢＳに向けて透過させる第２のハーフミラー２４とを備える。
【００４２】
光分配ハーフミラー２６は、入射する光の一部を反射し、一部を透過する機能を利用して、プロジェクタ２７から投射された光線の一部を第１の空間ＡＳに向けて反射すると同時に、残りの光線を第２の空間ＢＳに向けて透過させる。光分配ハーフミラー２６は、第１及び第２のハーフミラー２３、２４に対して固定されている。
【００４３】
プロジェクタ２７及び光分配ハーフミラー２６は、第１のハーフミラー２３と第２のハーフミラー２４間の第３の空間ＣＳに設けられている。第１のハーフミラー２３、第２のハーフミラー２４及び光分配ハーフミラー２６は略平行に配置され、プロジェクタ２７は、第２のハーフミラー２４及び光分配ハーフミラー２６に対して略４５度の方向に映像を投影する。プロジェクタ２７が投影する映像は、第１のハーフミラー２３及び第２のハーフミラー２４に略４５度の向きで入射する。
【００４４】
第２の実施の形態において、第１のハーフミラー２３に投影される映像は、光分配ハーフミラー２６により反射された光線により構成される映像であるのに対して、第２のハーフミラー２４に投影される映像は、光分配ハーフミラー２６を透過した光線により構成される映像である。したがって、第２のハーフミラー２４に投影される映像は、第１のハーフミラー２３に投影される映像を左右反転させた鏡像となる。そこで、プロジェクタ２７が投影する映像は、左右反転しても視認性に問題の無い映像、例えば、文字や記号等が含まれていない風景などが望ましい。第２実施形態のミラーシステムは、睡眠環境映像に適用することができる。
【００４５】
その他の構成は、図１〜図４に示したミラーシステム１と同じであるため、図示及び説明を省略する。
【００４６】
本発明の第２の実施の形態によれば、光分配ハーフミラー２６がプロジェクタ２７から投影された映像を第１の空間ＡＳに向けて反射させると同時に第２の空間ＢＳに向けて透過させることにより、プロジェクタ２７から投影される映像を第１のハーフミラー２３及び第２のハーフミラー２４に同時に表示することができる。
（第３の実施の形態）
第３の実施の形態では、第１のプロジェクタ２７から投影された映像を第１のハーフミラー２３に表示させ、同時に、第２のプロジェクタ２８から投影された映像を第２のハーフミラー２４に表示させるミラーシステムについて説明する。
【００４７】
図６を参照して、本発明の第３の実施の形態に係わるミラーシステムの構成を説明する。第３の実施の形態に係わるミラーシステムは、映像を投影する第１のプロジェクタ２７と、第１のプロジェクタ２７から投影された映像を第１の空間ＡＳに向けて反射させる第１のミラー２２ａと、第１のミラー２２ａにより反射された映像を第１の空間ＡＳに向けて透過させる第１のハーフミラー２３と、映像を投影する第２のプロジェクタ２８と、第２のプロジェクタ２８から投影された映像を第２の空間ＢＳに向けて反射させる第２のミラー２２ｂと、第２のミラー２２ｂにより反射された映像を第２の空間ＢＳに向けて透過させる第２のハーフミラー２４とを備える。
【００４８】
第２のハーフミラー２４は第１のハーフミラー２３に対向して設けられている。第１及び第２のプロジェクタ２７、２８及び第１及び第２のミラー２２ａ、２２ｂは、第１のハーフミラー２３と第２のハーフミラー２４間の第３の空間ＣＳに設けられている。
【００４９】
第１のプロジェクタ２７は、床面側から天井側（上方）に向けて映像を投影し、この映像を反射する第１のミラー２２ａの反射面は斜め下方を向いている。第２のプロジェクタ２８は、天井側から床面側（下方）に向けて映像を投影し、この映像を反射する第２のミラー２２ｂの反射面は斜め上方を向いている。
【００５０】
第１のプロジェクタ２７が投影する映像は、第２のプロジェクタ２８が投影する映像と異なっていても構わない。
【００５１】
本発明の第３の実施の形態によれば、第１のプロジェクタ２７から投影される映像を第１のハーフミラー２３に表示すると同時に、第２のプロジェクタ２８から投影される映像を第２のハーフミラー２４に表示することができる。よって、一つの部屋に、例えば、ベッドと洗面台など、用途が異なる複数の領域がある場合、一つの部屋であっても、これらの領域を仕切るとともに、仕切りにおけるそれぞれの領域側の面にそれぞれの用途に合った別の映像を表示することができる。
【００５２】
なお、第３の実施の形態において、第１及び第２のミラー２２ａ、２２ｂ各々は、プロジェクタ２１ａ、２１ｂやハーフミラー２３、２４に対して固定されている。しかし、第１の実施の形態と同様にして、ミラー回転装置２５を設けて第１及び第２のミラー２２ａ、２２ｂ各々を回転させても構わない。これにより、第１のプロジェクタ２７から投影される映像と第２のプロジェクタ２８から投影される映像を反射する方向を、第１の空間ＡＳと第２の空間ＢＳで切り替えることが出来る。
【００５３】
但し、この場合、図６の状態から第１及び第２のミラー２２ａ、２２ｂ各々を図１（ｂ）に対応する位置まで回転させるために、第１のハーフミラー２３と第２のハーフミラー２４間の距離を伸ばして第３の空間ＣＳを広げるか、第１及び第２のミラー２２ａ、２２ｂ各々の回転軸に垂直な方向の長さを短くすることが好ましい。これにより、第１及び第２のミラー２２ａ、２２ｂ各々を逆時計回りで図６の状態から図１（ｂ）に対応する位置まで回転させることができる。
【００５４】
また、プロジェクタ２１ａ、２１ｂは、それぞれ上下方向に向けて映像を投影し、この映像を反射するミラー２２ａ、２２ｂの反射面は斜め下方及び上方を向いているが、これ以外にも、プロジェクタ２１ａ、２１ｂは左方及び右方に向けて映像を投影し、ミラー２２ａ、２２ｂの反射面は斜め右方及び左方を向いていてもよい。
【００５５】
上記のように、本発明は、第１乃至第３の実施の形態によって記載したが、この開示の一部をなす論述及び図面はこの発明を限定するものであると理解すべきではない。この開示から当業者には様々な代替実施の形態、実施例及び運用技術が明らかとなろう。
【００５６】
例えば、実施形態においては、洗面の用に供するための甲板３１を有するミラーシステムを例示したが、甲板３１を有さないタイプであってもよい。或いは逆に、第１の空間ＡＳのみならず、第２の空間ＢＳ側にも甲板を備えるタイプであってもよい。
【００５７】
また、図１のミラーシステムにおいて、ミラー２２は、入射する光のほぼ総てを反射又は吸収し、入射する光を透過させない通常のミラーであってよいが、これに限らず、入射する光の一部を反射し、他の一部を透過する機能を備えるハーフミラーであっても構わない。ミラー２２がハーフミラーである場合、ミラー２２を透過する光を図１の筐体３３の上面から筐体３３の外へ取り出すことにより、部屋全体を間接的に照らす間接照明等としてミラー２２を透過する光を用いることができる。
【００５８】
このように、本発明はここでは記載していない様々な実施の形態等を包含するということを理解すべきである。したがって、本発明はこの開示から妥当な特許請求の範囲に係る発明特定事項によってのみ限定されるものである。
【図面の簡単な説明】
【００５９】
【図１】図１は本発明の実施の形態に係わるミラーシステムの構成を示す断面図であり、図１（ａ）は、ミラー２２が第１の空間ＡＳに向けてプロジェクタ２１から投影された映像を反射している状態を示し、図１（ｂ）は、ミラー２２が第２の空間ＢＳに向けてプロジェクタ２１から投影された映像を反射している状態を示す。
【図２】本発明の第１の実施の形態に係わるミラーシステムの外観構成を示す斜視図である。
【図３】プロジェクタ２１及びミラー２２の制御系に係わるミラーシステムの構成を示すブロック図である。
【図４】図１〜図３に示したミラーシステム１の設置例を示す平面図である。
【図５】本発明の第２の実施の形態に係わるミラーシステムの一部分の拡大した断面図である。
【図６】本発明の第３の実施の形態に係わるミラーシステムの構成示す断面図である。
【符号の説明】
【００６０】
１…ミラーシステム
１０…コンピュータ
１１…制御部
１２…メモリ
１３…プロジェクタ制御部
１４…ミラー制御部
２１…プロジェクタ
２１ａ…映像投影部
２１ｂ…映像回転部（映像回転手段）
２２…ミラー
２２ａ…第１のミラー
２２ｂ…第２のミラー
２３…第１のハーフミラー
２４…第２のハーフミラー
２５…ミラー回転装置
２６…光分配ハーフミラー
２７…第１のプロジェクタ
２８…第２のプロジェクタ
３１…甲板
３３…筐体
４１…部屋
４２ａ、４２ｂ…ベッド
４４…椅子
ＡＳ…第１の空間
ＢＳ…第２の空間
ＣＳ…第３の空間
ＭＳ…寝室
ＮＳ…洗面コーナー
ＲＳ…反射面
【図１】
2009156989.tif 000003
【図２】
2009156989.tif 000004
【図３】
2009156989.tif 000005
【図４】
2009156989.tif 000006
【図５】
2009156989.tif 000007
【図６】
2009156989.tif 000008